(57)【要約】  【課題】  枠体とシールリングとを用いた半導体素子収納用パッケージにおいて、封止性のよい半導体素子収納用パッケージおよび半導体装置を提供すること。  【解決手段】  半導体素子収納用パッケージは、上側主面に半導体素子の載置部１ａを有する基体１と、平面視において載置部１ａを多角形状に取り囲むように基体１に接合された枠体２と、枠体２の上面に接合された多角形状の枠状のシールリング４とを具備している。枠体２は、多角形の一辺を構成する一側壁３の一端部３ａから他端部３ｂにかけて枠体２の内外を貫通する貫通孔３ｃが設けられており、シールリング４の内側の一側壁３の上面に凸部３ｄが設けられている。【選択図】  図２
2017069245.tif 000002
【特許請求の範囲】
【請求項１】
上側主面に半導体素子の載置部を有する基体と、平面視において前記載置部を多角形状に取り囲むように前記基体に接合された枠体と、該枠体の上面に接合された多角形状の枠状のシールリングとを具備した半導体素子収納用パッケージにおいて、前記枠体は、多角形の一辺を構成する一側壁の一端部から他端部にかけて前記枠体の内外を貫通する貫通孔が設けられており、前記シールリングの内側の前記一側壁の上面に凸部が設けられていることを特徴とする半導体素子収納用パッケージ。
【請求項２】
前記凸部は前記貫通孔の中央部に対応する前記一側壁の上面に設けられていることを特徴とする請求項１記載の半導体素子収納用パッケージ。
【請求項３】
前記シールリングはろう材を介して前記枠体の上面に接合されており、前記凸部と前記シールリングの内側面との間にろう材のメニスカスが形成されていることを特徴とする請求項１または請求項２記載の半導体素子収納用パッケージ。
【請求項４】
請求項１乃至請求項３のいずれか１つに記載の半導体素子収納用パッケージと、前記載置部に載置された半導体素子と、前記枠体の上面に前記枠体の内側を塞ぐように取着された蓋体とを具備していることを特徴とする半導体装置。
【発明の詳細な説明】
【技術分野】
【０００１】
本発明は、半導体素子を収容するための半導体素子収納用パッケージおよびそれを用いた半導体装置に関する。
【背景技術】
【０００２】
従来の気密封止型の半導体素子収納用パッケージ（以下、単にパッケージともいう）として、中央に光半導体素子を載置するエリアを有する金属基板と、金属基板の外縁に沿って四方を囲む側枠部材とを備えるものがある（例えば、特許文献１参照）。金属基板は、銅タングステン等の熱伝導率のよい金属から成る。側枠部材は、銅を溶浸した金属等から成る。
【０００３】
さらに、側枠部材の上面にはシールリングが接合される。シールリングの上面にはパッケージ内部を気密に封止する蓋部材が接合される。蓋部材は板状の部材である。この場合に、蓋部材を接合する相手側である側枠部材の上面が平面でないと、気密封止に支障を生じる。そこで、側枠部材の上面が複数のパーツで成る場合等の上面に段差が生ずる虞がある場合に、シールリングがよく用いられる。シールリングは、側枠部材の上面に銀（Ａｇ）ろうなどのろう材を介して接合される。
【先行技術文献】
【特許文献】
【０００４】
【特許文献１】特開平１１−１４５３１７号公報
【発明の概要】
【発明が解決しようとする課題】
【０００５】
しかしながら、半導体素子収納用パッケージにおいては、側枠部材に大きな部材を固定するために大きな貫通孔を設ける場合がある。例えば、多くの光信号または電気信号を通すために、側枠部材に大きな貫通孔を設けて光ファイバまたは導体を保持する入出力端子のような大きな部材を固定する場合がある。ところが、側枠部材に大きな貫通孔を設けると、側枠部材の上面と貫通孔の内周面との間の側枠部材の肉厚が薄くなってしまい、側枠部材の上面の平坦度が悪化してしまうという問題があった。上面の平坦度が悪化すると、上面における溶融したろう材の流れ方に影響を及ぼし、シールリングの接合強度にも影響を与える。
【０００６】
本発明は上記問題点に鑑みて完成されたものであり、その目的は、側枠部材（以下、枠体という）の上面におけるろう付けを安定に行なえる半導体素子収納用パッケージおよびそれを用いた半導体装置を提供することにある。
【課題を解決するための手段】
【０００７】
本発明の一実施形態に係る半導体素子収納用パッケージは、上側主面に半導体素子の載置部を有する基体と、平面視において前記載置部を多角形状に取り囲むように前記基体に接合された枠体と、この枠体の上面に接合された多角形状の枠状のシールリングとを具備しており、前記枠体は、多角形の一辺を構成する一側壁の一端部から他端部にかけて前記枠体の内外を貫通する貫通孔が設けられており、前記シールリングの内側の前記一側壁の上面に凸部が設けられていることを特徴とするものである。
【０００８】
また、上記半導体素子収納用パッケージにおいて、前記凸部は前記貫通孔の中央部に対応する前記一側壁の上面に設けられているのがよい。
【０００９】
また、上記半導体素子収納用パッケージにおいて、前記シールリングはろう材を介して前記枠体の上面に接合されており、前記凸部と前記シールリングの内側面との間にろう材のメニスカスが形成されているのがよい。
【００１０】
本発明の一実施形態に係る半導体装置は、上記いずれかの半導体素子収納用パッケージと、前記載置部に載置された半導体素子と、前記枠体の上面に前記枠体の内側を塞ぐように取着された蓋体とを具備していることを特徴とする。
【発明の効果】
【００１１】
本発明の一実施形態に係る半導体素子収納用パッケージは、枠体の多角形の一辺を構成する一側壁の一端部から他端部にかけて枠体の内外を貫通する貫通孔が設けられており、シールリングの内側の一側壁の上面に凸部が設けられている。これにより、貫通孔によって枠体上面の平坦度が悪化してシールリングとの間隙が不均等になっても、凸部によってろう材の流れをコントロールして、ろう付け強度の低下を緩和することができる。
【００１２】
また、凸部は貫通孔の中央部に対応する一側壁の上面に設けられていると、悪化の程度が最も大きくなる貫通孔の中央部において、ろう材のコントロールが行ないやすくなる。
【００１３】
また、凸部とシールリングの内側面との間にろう材のメニスカスが形成されていると、一側壁とシールリングとの接合強度を向上することができる。
【００１４】
本発明の一実施形態に係る半導体装置は、上記いずれかの半導体素子収納用パッケージと、載置部に載置された光半導体素子と、枠体の上面に枠体の内側を塞ぐように取着された蓋体とを具備していることにより、シールリングの接合不良が生じ難く、またシールリングと蓋体との封止性能に優れた半導体装置を提供することができる。
【図面の簡単な説明】
【００１５】
【図１】本発明の半導体素子収納用パッケージの実施の形態の一例を示す斜視図である。
【図２】図１に示す半導体素子収納用パッケージを別の視点Ｅから見た斜視図である。
【図３】図２に示すＡ部を拡大して示す要部拡大斜視図である。
【図４】図１に示す半導体素子収納用パッケージの分解斜視図である。
【図５】（ａ）は図１に示す半導体素子収納用パッケージの平面図であり、（ｂ）は（ａ）に示す断面Ｃ−Ｃにおける断面図である。
【図６】図５（ｂ）のＢ部を拡大して示す要部拡大断面図である。
【図７】本発明の半導体装置の実施の形態の一例を示す分解斜視図である。
【発明を実施するための形態】
【００１６】
本発明の半導体素子収納用パッケージについて以下に詳細に説明する。図１は本発明のパッケージの実施の形態の一例を示す斜視図である。図２は、図１に示すパッケージを矢視Ｅの方向から見た斜視図である。また、図３は、図２のＡ部を拡大して示す要部拡大斜視図である。これらの図において、１は基体、２は枠体、３は枠体２の一辺を成す一側壁、４はシールリングを示す。
【００１７】
本発明の一実施形態に係るパッケージは、図１および図２に示すように、上側主面に半導体素子６が載置される載置部１ａを有する基体１と、平面視において載置部１ａを多角形状に囲繞するように基体１の上側主面に接合された枠体２とを備えている。枠体２の上面にはシールリング４が接合されている。そして、四角枠状等の多角形状の枠体２は、そ
の多角形の一辺を構成する一側壁３に、光ファイバ固定部材等を固定する貫通孔３ｃが形成されている。
【００１８】
この貫通孔３ｃは、大型の電気信号接続用のコネクタや光ファイバ固定部材等を固定するために、一側壁の一端部３ａから他端部３ｂにかけて大きく開けられている。一端部３ａとは、一側壁３の一端から一側壁３の長さの２／５までの間の部分を意味する。同様に他端部３ｂとは一側壁３の他端から一側壁３の長さの２／５までの間の部分を意味する。また、貫通孔３ｃは上下方向の寸法も大きく、一側壁３の高さの１／３以上４／５以下の大きさを有する。
【００１９】
貫通孔３ｃは、長方形状の一側壁３の中央部に長方形状に開けられている。貫通孔３ｃは、図に示すような、長方形の四隅が曲面で結ばれる形状であってもよい。その他にも、Ｃカットの面取りを施したり、長辺が直線でなく途中に突起または切り込みが設けられたりしたような形状であってもよい。また、貫通孔３ｃは、固定される光ファイバ固定部材等の形状に対応して、円形状または楕円形状に開けられてもよい。貫通孔３ｃが円形状または楕円形状であるときは、基体１の上面に垂直な方向の一側壁３の変形を生じ難くすることができる。
【００２０】
光ファイバ固定部材は、パッケージの外側から光ファイバを固定するための筒状の部材である。光ファイバの先端に固定した金具を、パッケージ内部の光半導体素子と光ファイバとが光結合するように位置を調整して、この光ファイバ固定部材に溶接等で固定する。これによって、パッケージ内部の光半導体素子から出力される光信号、または光半導体素子に入力される光信号を光ファイバを用いて伝送させることができる。
【００２１】
本実施形態の例においては、パッケージ完成後に、使用する光ファイバの本数等に合わせた光ファイバ固定部材を貫通孔３ｃに固定することができる。一端部３ａから他端部３ｂにかけて大きな開口を有する貫通孔３ｃを有するために、光ファイバの本数に応じて所用の大きさの光ファイバ固定部材を用いることができる。また、光ファイバ固定部材に代えて、貫通孔３ｃにコネクタ等を固定する場合も、パッケージ完成後に所用の諸元を有したコネクタを固定して用いることができる。その他、別の貫通孔に入出力端子２ａを固定する場合等も同様である。
【００２２】
このように一側壁３は貫通孔３ｃの大きな開口を有するために、十分な強度を有する部材の量を確保することが難しい。例えば、一側壁３の上面と貫通孔３ｃの内壁面との間に十分な部材の厚み（肉厚）を確保できないために、この部分に応力その他の力が加わると、枠体２が歪んでしまって一側壁３の上面の平坦度が損なわれる場合がある。例えば、シールリング４をろう材７を介して一側壁３の上面に接合する際等、パッケージを取り扱う途中工程において力が加わると、枠体２の一側壁３の上面の平坦度が損なわれる虞がある。
【００２３】
そこで、一側壁３には、一側壁３の上面のうちシールリング４に囲まれる内側に、上面から突出する凸部３ｄが設けられている。なお、図１において、凸部３ｄはシールリング４に隠れているので示されていない。
【００２４】
シールリング４を枠体２の上面に接合する際にはろう材７を用いる。シールリング４と枠体２との間にろう材７のプレフォームをセットし、ブレージング炉に投入する。溶融したろう材７は枠体２とシールリング４との間を流れ、その後冷却されて固化する。これによってシールリング４と枠体２とを接合する。ろう材７が一側壁３とシールリング４との間を流れる際に、凸部３ｄが設けられていると、ろう材７はシールリング４の内側面と、この内側面に対向する凸部３ｄの側面との間に濡れ広がってろう材７の溜まりを形成する
。したがって、一側壁３の上面とシールリング４との間の隙間が不均一であっても、凸部３ｄが設けられている部分に十分なろう材７が供給されるので、一側壁３とシールリング４との接合力を維持することができる。
【００２５】
また、シールリング４は、凸部３ｄとシールリング４の内側面との間にろう材７のメニスカスが形成されるので、一側壁３とシールリング４との接合強度を向上することができる。また、パッケージの組立時や蓋体５のシールリング４への接合時に生じる一側壁３の変形や歪みを抑制する効果も期待できる。
【００２６】
また、凸部３ｄがシールリング４に取り囲まれた内側の上面に形成されているので、溶融したろう材７が一側壁３の内側（枠体２の内側）に流れ込むことがない。
【００２７】
凸部３ｄの幅は、必要な箇所でろう材７の溜まりを形成するために十分な長さのものとすればよい。凸部３ｄの高さも、ろう材７の溜まりの高さに応じて十分なものとすればよい。なお、凸部３ｄの高さは、シールリング４の高さよりも低いものとする。
【００２８】
一側壁３の上面において、平坦度が最も悪化する可能性が大きいのは、貫通孔３ｃの基体１に沿った長さ方向の中央部であるから、これに対応させた一側壁３の上面位置に凸部３ｄを設けるのがよい。
【００２９】
図５（ａ）に図１に示す本実施形態の例を上面視した図を示す。上面視において、枠体２は一側壁３を含めて四角形状の枠状に形成されている。また、図４に示す分解斜視図から解るように、本実施形態例において枠体２は、載置部１ａを三方から取り囲む枠体２の一部に一側壁３を接合して四角形状の枠状に形成されている。枠体２は、平面視において四角形状の枠状に限らず、三角形状，五角形状，六角形状その他の多角形状の枠状でもよい。
【００３０】
一側壁３は、Ｆｅ−Ｎｉ−Ｃｏ合金またはＦｅ−Ｎｉ合金などの金属から成り、それぞれ金属のインゴットに圧延加工や打抜き加工などの従来周知の金属加工法を施すことによって細長い板形状に製作される。
【００３１】
一側壁３を除く枠体２は、同じくＦｅ−Ｎｉ−Ｃｏ合金またはＦｅ−Ｎｉ合金などの金属、その他セラミックス等から成る。本実施形態の例においては、一側壁３を除く枠体２にはセラミックスが用いられている。
【００３２】
枠体２がセラミックスから成る場合には、Ａｌ２Ｏ３質焼結体，ＡｌＮ質焼結体，３Ａｌ２Ｏ３・２ＳｉＯ２質焼結体などのセラミックスが用いられる。例えばＡｌ２Ｏ３質焼結体から成る場合であれば、Ａｌ２Ｏ３，ＳｉＯ２，ＭｇＯ，ＣａＯなどの原料粉末に適当な有機バインダ，有機溶剤，可塑剤，分散剤などを添加混合してスラリー状とし、これを従来周知の成形方法で板状等に成形する。
【００３３】
次に、線路導体２ｂとなる部分およびろう材によって接合される部分に、Ｗ，Ｍｏ，Ｍｎなどの金属粉末に適当なバインダ，溶剤を混合してなる導体ペーストを印刷塗布することによって、線路導体２ｂやろう材接合用の金属層を形成する。その後、これらを積層したセラミック成形体を所定の寸法に切断し、最後に約1600℃の温度で焼成することによって、金属層を有した焼結体を作製することができる。
【００３４】
そして、一側壁３と組み合わせてろう材等の接合材で接合することによって、枠体２を作製する。
【００３５】
基体１は、金属または絶縁体から成り、例えばＦｅ−Ｎｉ−Ｃｏ合金，Ｆｅ−Ｎｉ合金，銅（Ｃｕ）−タングステン（Ｗ），Ｃｕ−モリブデン（Ｍｏ）合金などのＣｕ系材料（ＣｕまたはＣｕを主成分とする合金もしくは複合材）などから成る。特に、基体１の熱伝導性を良くして内部に収容する半導体素子６が作動時に発する熱を効率よく外部へ放散させるという観点からは、Ｃｕ系材料が好ましい。なお、良熱伝導性のセラミックス等を用いてもよい。
【００３６】
このような基体１は、金属のインゴットに圧延加工や打抜き加工などの従来周知の金属加工法を施すことによって所定形状に製作される。基体１の上側主面の中央部には、光半導体素子等の半導体素子６を載置する載置部１ａが配置される。載置部１ａは光半導体素子等の半導体素子６が載置される場所である。この基体１は、半導体素子６が作動時に発する熱を外部に放熱させる放熱板の役割をも果たす。
【００３７】
載置部１ａの上側主面には、基台が載置され、半導体素子６が基台に搭載される場合もある。基台はアルミナ（Ａｌ２Ｏ３）質焼結体，窒化アルミニウム（ＡｌＮ）質焼結体，ムライト（３Ａｌ２Ｏ３・２ＳｉＯ２）質焼結体などの絶縁体から成り、基体１と半導体素子６とを電気的に絶縁する役割を果たす。図４に示す例から解るように、本実施形態の例において、基台は枠体２と一体に形成されている。
【００３８】
また、放熱性の観点から、載置部１ａに金属を用い、その他の部位にセラミックスを用いるものとしてもよい。例えば、枠体２と一体にセラミックスを積層して基体１部を作製し、載置部１ａに設けた開口部に上記金属を接合したものとしてもよい。
【００３９】
また、基体１が金属製であって枠体２と一体に作製されない場合は、上側主面の載置部１ａの周囲に、載置部１ａを囲繞するようにしてＡｇろうやＡｇ−Ｃｕろうなどのろう材を介して枠体２が設けられる。枠体２には、パッケージ内外を導通させるための入出力端子２ａが取り付けられる。枠体２は基体１とともにその内側に半導体素子６を収容する空所を形成する役割を果たす。
【００４０】
枠体２の外側に位置する入出力端子２ａの線路導体２ｂには、リード端子（図示せず）が接続される場合がある。リード端子は、外部電気回路（図示せず）に電気的に接続される。そして、リード端子は、外部電気回路とパッケージとの間で電気信号を導通させる。この電気信号によってパッケージ内の半導体素子６が駆動される。
【００４１】
枠体２の上面には、Ｆｅ−Ｎｉ−Ｃｏ合金，Ｆｅ−Ｎｉ合金などの金属から成り、金属のインゴットに圧延加工または打抜き加工などの従来周知の金属加工法を施すことによって枠形状に製作されたシールリング４が接合される。
【００４２】
シールリング４を枠体２の上面に接合する場合には、銀ろう，リン銅ろう，銅ろう等のろう材７が接合材として用いられる。ろう材７は、枠体２の上面とシールリング４との間に隙間が生じないように流れ、パッケージの気密性を保つ。
【００４３】
そして図７に示すように、上記構成のパッケージの載置部１ａに光半導体素子等の半導体素子６を載置固定した後、枠体２の内側の線路導体２ｂと半導体素子６または半導体素子６に接続された回路基板の電極とをボンディングワイヤ等で電気的に接続し、シールリング４の上面にＦｅ−Ｎｉ−Ｃｏ合金などの金属やセラミックスなどから成る蓋体５を半田付け法または溶接法などによって取着することにより、半導体素子６が気密に封止された半導体装置となる。
【００４４】
なお、上記ではＬＤ（Laser Diode），ＰＤ（Photodiode）等の光半導体素子を含む半
導体素子６を収納するパッケージを例にしたが、半導体素子６は光半導体素子に限られない。ＬＳＩ（Large-Scale Integration），ＡＳＩＣ（Application Specific Integrated
Circuit）等の高周波半導体素子等といった各種の半導体素子６を用いる半導体素子収納用パッケージおよび半導体装置としてもよい。
【００４５】
本発明の半導体装置によれば、上記構成のパッケージを用いることによって、シールリング４と枠体２との封止性能が優れているので、半導体素子６を長期にわたって正常かつ安定に作動させ得る。すなわち、半導体素子６の動作信頼性の高いパッケージにできる。
【００４６】
また、本発明は上記実施の形態に限定されるものではなく、本発明の要旨を逸脱しない範囲内で種々の変更を施すことは何等支障ない。例えば、上記実施の形態において、接合材としてろう材７の代わりに樹脂接着剤その他の接合材を用いてもよい。
【００４７】
凸部３ｄは、コネクタや光ファイバ固定部材等が固定される貫通孔３ｃが設けられる枠体２の上面に設ける場合を例にしたが、電気信号を伝搬させる線路導体２ｂが設けられた入出力端子２ａ等を取り付ける貫通孔３ｃが設けられる枠体２の上面に設けてもよい。
【００４８】
また、凸部３ｄは、シールリング４の内側の枠体２の上面に設けるとともに、シールリング４の外側の上面にも設けてもよい。凸部３ｄは、数ヶ所に分割して設けてもよい。これにより、凸部３ｄが設けられている部分にろう材７が流れる際に、一側壁３とシールリング４との間により多くのろう材７が供給されるので、一側壁３とシールリング４との接合力をさらに向上することができる。
【符号の説明】
【００４９】
１：基体
１ａ：載置部
２：枠体
２ａ：入出力端子
３：一側壁
３ａ：一端部
３ｂ：他端部
３ｄ：凸部
４：シールリング
５：蓋体
６：半導体素子
７：ろう材
【図１】
2017069245.tif 000003
【図２】
2017069245.tif 000004
【図３】
2017069245.tif 000005
【図４】
2017069245.tif 000006
【図５】
2017069245.tif 000007
【図６】
2017069245.tif 000008
【図７】
2017069245.tif 000009